(57)【要約】【課題】蛍光層を増加させることなく、発光可能な色の数を増加させることが可能な携帯端末を提供する。【解決手段】この携帯電話機（携帯端末）１００の表示画面部３４は、各々が表示パターンＰ３、Ｐ４およびＰ５を有するとともに、赤色、緑色および青色の光をそれぞれ選択的に透過可能な緑色反射シート１５ｄ、青色反射シート１５ｅおよび赤色反射シート１５ｆと、表示パターンＰ２を有するとともに紫外線により励起されて光を発する蛍光層１５ｃと、反射シート１５ｄ、１５ｅおよび１５ｆに対して赤色、緑色および青色の光を照射可能な緑色ＬＥＤ１５２ａ、青色ＬＥＤ１５２ｂおよび赤色ＬＥＤ１５２ｃと、反射シート１５ｄ、１５ｅおよび１５ｆを透過するとともに蛍光層１５ｃに到達する紫外線を照射する紫外線ＬＥＤ１５２ｄとを含む。【選択図】図１１
2011040872.tif 000002
【特許請求の範囲】
【請求項１】
携帯端末本体と、
前記携帯端末本体に設けられた表示部とを備え、
前記表示部は、
各々が第１表示パターンを有するとともに、赤色、緑色および青色の光をそれぞれ選択的に透過可能な複数の選択透過層と、
前記選択透過層に対して積層するように配置され、第２表示パターンを有するとともに可視光以外の波長の光により励起されて光を発する蛍光層と、
前記選択透過層に対して赤色、緑色および青色の光を照射可能な第１光源と、
前記選択透過層を透過するとともに前記蛍光層に到達する前記可視光以外の波長の光を照射する第２光源とを含む、携帯端末。
【請求項２】
前記蛍光層は、紫外線により励起されて光を発する蛍光材料を含み、
前記可視光以外の波長の光を照射する第２光源は、前記蛍光層に紫外線を照射可能に構成されている、請求項１に記載の携帯端末。
【請求項３】
前記蛍光層は、基材層と、前記基材層の表面上に設けられ、蛍光材料により前記第２表示パターンが構成された蛍光材料層とを含む、請求項１または２に記載の携帯端末。
【請求項４】
前記第１光源は、赤色光源と、緑色光源と、青色光源とを含み、
前記第２光源は、紫外線光源を含み、
前記赤色光源と緑色光源と青色光源との３つの光源の少なくともいずれか１つを点灯または点滅させることにより表示を行う第１の表示と、前記紫外線光源を点灯または点滅させることにより表示を行う第２の表示とを切替可能に構成されている、請求項１〜３のいずれか1項に記載の携帯端末。
【請求項５】
前記第１光源は、赤色光源と、緑色光源と、青色光源とを含み、
前記第２光源は、紫外線光源を含み、
前記赤色光源と緑色光源と青色光源との３つの光源の少なくともいずれか１つを点灯または点滅させることにより表示を行う第１の表示と、前記紫外線光源を点灯または点滅させることにより表示を行う第２の表示とを同時に表示可能に構成されている、請求項１〜３のいずれか1項に記載の携帯端末。
【請求項６】
前記表示部は、前記選択透過層および前記蛍光層に対して前記第１光源および前記第２光源とは反対側に積層するように配置され、前記第１光源および前記第２光源の消灯時に、外光を表面で拡散させることにより反射型の表示を行うための第３表示パターンを有する拡散層をさらに含む、請求項１〜５のいずれか1項に記載の携帯端末。
【請求項７】
前記選択透過層は、前記第１表示パターンに対応する部分に開口部を有する光吸収層または光反射層を含む、請求項１〜６のいずれか1項に記載の携帯端末。
【発明の詳細な説明】
【技術分野】
【０００１】
この発明は、携帯端末に関し、特に、可視光以外の波長の光により励起されて光を発する蛍光層を備える携帯端末に関する。
【背景技術】
【０００２】
従来、可視光以外の波長の光により励起されて光を発する蛍光層を備える携帯端末が知られている（たとえば、特許文献１〜３参照）。
【０００３】
上記特許文献１には、光源と、光源からの光により励起されて可視光を発光する発光体（蛍光層）とを備え、携帯端末などに適用されるキーユニットが開示されている。この特許文献１に記載の表示デバイスでは、光源は、３００ｎｍまたは４００ｎｍなどの波長の光を照射するように構成されている。また、光源から発光体に光が照射されることにより、照射された光源の波長に対応する発光体が励起される。これにより、発光体が可視光を発光するように構成されている。なお、この表示デバイスに設けられた光源は、発光体を励起させる光を照射するので、可視光以外の波長の光を発する光源であると考えられる。
【０００４】
また、上記特許文献２には、紫外光を照射する紫外線光源と、文字などの形状に切り抜かれた形状の開口部を有し、開口部以外の部分において紫外光を減衰させるノッチフィルタと、紫外光により励起されることによって可視光を発光する蛍光部材（蛍光層）とを備え、携帯端末などに適用される表示デバイスが開示されている。この特許文献２に記載の表示デバイスでは、紫外線光源から照射された紫外光は、ノッチフィルタの開口部が形成されていない部分において減衰される一方、開口部を通過した紫外光は、蛍光部材に照射される。そして、蛍光部材の紫外光が照射された部分は、可視光を発光するように構成されている。
【０００５】
また、上記特許文献３には、紫外線を照射する紫外線光源と、紫外線光源の上方に配置された蛍光材料（蛍光層）を含むキートップ部とを備え、携帯端末などに適用される押釦スイッチが開示されている。この特許文献３に記載の押釦スイッチでは、紫外線光源を点灯させることにより、紫外線光源からキートップ部に紫外線が照射される。そして、キートップ部の蛍光材料が紫外線に励起されることにより、蛍光材料が発光するように構成されている。
【先行技術文献】
【特許文献】
【０００６】
【特許文献１】特開２００７−２４２３０２号公報
【特許文献２】特開２００９−８９２６号公報
【特許文献３】特許第４１８７２９８号公報
【発明の概要】
【発明が解決しようとする課題】
【０００７】
しかしながら、上記特許文献１〜３では、発光可能な色を増加させるのは、その色の数だけ、蛍光層（発光体）の数を増加させる必要があるという問題点がある。
【０００８】
この発明は、上記のような課題を解決するためになされたものであり、この発明の１つの目的は、蛍光層を増加させることなく、発光可能な色の数を増加させることが可能な携帯端末を提供することである。
【課題を解決するための手段および発明の効果】
【０００９】
この発明の一の局面による携帯端末は、携帯端末本体と、携帯端末本体に設けられた表示部とを備え、表示部は、各々が第１表示パターンを有するとともに、赤色、緑色および青色の光をそれぞれ選択的に透過可能な複数の選択透過層と、選択透過層に対して積層するように配置され、第２表示パターンを有するとともに可視光以外の波長の光により励起されて光を発する蛍光層と、選択透過層に対して赤色、緑色および青色の光を照射可能な第１光源と、選択透過層を透過するとともに蛍光層に到達する可視光以外の波長の光を照射する第２光源とを含む。
【００１０】
この発明の一の局面による携帯端末では、上記のように、表示部が、各々が第１表示パターンを有するとともに、赤色、緑色および青色の光をそれぞれ選択的に透過可能な複数の選択透過層と、選択透過層に対して積層するように配置され、第２表示パターンを有するとともに可視光以外の波長の光により励起されて光を発する蛍光層と、選択透過層に対して赤色、緑色および青色の光を照射可能な第１光源と、選択透過層を透過するとともに蛍光層に到達する可視光以外の波長の光を照射する第２光源とを含む。これにより、赤色、緑色および青色の光をそれぞれの選択透過層の第１表示パターンを通過させることができるので、選択透過層を通過した赤色、緑色および青色の光を単色表示または混色表示させることができる。これにより、赤色、緑色および青色の３色の光を用いることによって、発色させる色の数を増やすことができる。これに加えて、第２光源から可視光以外の波長の光を蛍光層に照射することにより、蛍光層を発光させることができる。その結果、蛍光層の数（種類）が増えるのを抑制しながら、発光（表示）可能な色の数（種類）を増やすことができる。
【００１１】
上記一の局面による携帯端末において、好ましくは、蛍光層は、紫外線により励起されて光を発する蛍光材料を含み、可視光以外の波長の光を照射する第２光源は、蛍光層に紫外線を照射可能に構成されている。このように構成すれば、第２光源から蛍光層に紫外線を照射することにより、容易に、蛍光材料の材質に応じた色で蛍光層を発光させることができる。
【００１２】
上記一の局面による携帯端末において、好ましくは、蛍光層は、基材層と、基材層の表面上に設けられ、蛍光材料により第２表示パターンが構成された蛍光材料層とを含む。このように構成すれば、第２光源から蛍光材料層に光を照射した際に、蛍光材料層の第２表示パターンに対応する部分を発光させることができる。
【００１３】
上記一の局面による携帯端末において、好ましくは、第１光源は、赤色光源と、緑色光源と、青色光源とを含み、第２光源は、紫外線光源を含み、赤色光源と緑色光源と青色光源との３つの光源の少なくともいずれか１つを点灯または点滅させることにより表示を行う第１の表示と、紫外線光源を点灯または点滅させることにより表示を行う第２の表示とを切替可能に構成されている。このように構成すれば、赤色光源と緑色光源と青色光源との３つの光源の少なくともいずれか１つを点灯または点滅させることにより表示を行う第１の表示と、紫外線光源を点灯または点滅させることにより表示を行う第２の表示との２種類の異なる表示を行うことができる。また、第１の表示と、第２の表示との少なくともいずれか１つを点滅表示させることによって、点滅表示している部分を目立たせることができるので、ユーザに対して注意喚起を行うことができるとともに、視認性を向上させることができる。
【００１４】
上記一の局面による携帯端末において、好ましくは、第１光源は、赤色光源と、緑色光源と、青色光源とを含み、第２光源は、紫外線光源を含み、赤色光源と緑色光源と青色光源との３つの光源の少なくともいずれか１つを点灯または点滅させることにより表示を行う第１の表示と、紫外線光源を点灯または点滅させることにより表示を行う第２の表示とを同時に表示可能に構成されている。このように構成すれば、第１の表示と、第２の表示とを別個に表示する場合と比べて、同時に発色させる色の数を増加させることができる。これにより、よりカラフルな表示を行うことができる。また、点灯表示の第１の表示と、点滅表示の第２の表示とを同時に表示させることによって、点灯表示の第１の表示と、点滅表示の第２の表示との色を混色させることができるので、点滅表示している部分を目立たせることができる。その結果、ユーザに対して注意喚起を行うことができるとともに、視認性を向上させることができる。
【００１５】
上記一の局面による携帯端末において、好ましくは、表示部は、選択透過層および蛍光層に対して第１光源および第２光源とは反対側に積層するように配置され、第１光源および第２光源の消灯時に、外光を表面で拡散させることにより反射型の表示を行うための第３表示パターンを有する拡散層をさらに含む。このように構成すれば、たとえば、拡散層の表面に外光が照射され、外光が反射することによって表面が白色に見える拡散層を用いた場合には、第３表示パターンの部分は外光が反射しないので、黒く表示させることができる。これにより、拡散層の第３パターンの部分と、第３パターンが設けられていない部分とを組み合わせて反射型の白黒表示を行うことができる。これによっても、色数を増加させることができる。
【００１６】
上記一の局面による携帯端末において、好ましくは、選択透過層は、第１表示パターンに対応する部分に開口部を有する光吸収層または光反射層を含む。このように構成すれば、第１光源から照射された光を光吸収層または光反射層にそれぞれ設けられた開口部から通過させることができるので、光吸収層または光反射層にそれぞれ設けられた開口部のパターンに対応する表示を行うことができる。
【図面の簡単な説明】
【００１７】
【図１】本発明の一実施形態による携帯電話機の第１スライド状態（通話モード）を示した斜視図である。
【図２】図１に示した一実施形態による携帯電話機の全体構成を示した分解斜視図である。
【図３】図１に示した一実施形態による携帯電話機の初期状態を示した斜視図である。
【図４】図１に示した一実施形態による携帯電話機の第２スライド状態（文字入力モード）を示した斜視図である。
【図５】図１に示した一実施形態による携帯電話機の初期状態の表示部側本体と操作部側本体との位置関係を示した斜視図である。
【図６】図１に示した一実施形態による携帯電話機の第１スライド状態の表示部側本体と操作部側本体との位置関係を示した斜視図である。
【図７】図１に示した一実施形態による携帯電話機の初期状態の操作部側本体とスライドプレートとの位置関係を示した斜視図である。
【図８】図１に示した一実施形態による携帯電話機の第２スライド状態の操作部側本体とスライドプレートとの位置関係を示した斜視図である。
【図９】図５および図６の１０００−１０００線に沿った第１位置検出センサとスライドプレートの突起部との位置関係を示した断面図である。
【図１０】図７および図８の２０００−２０００線に沿った第２位置検出センサとスライドプレートの突起部との位置関係を示した断面図である。
【図１１】図１に示した一実施形態による携帯電話機の操作キー部の構造を示した分解斜視図である。
【図１２】本発明の一実施形態の操作キー部を白黒表示させた場合の拡大平面図である。
【図１３】図１に示した一実施形態による携帯電話機の第２スライド状態（動画再生モード）を示した斜視図である。
【図１４】本発明の一実施形態の第２スライド状態（動画再生モード）において赤色ＬＥＤが照射された場合の操作キー部の拡大平面図である。
【図１５】本発明の一実施形態の第１スライド状態において紫外線ＬＥＤが照射された場合の操作キー部の拡大平面図である。
【図１６】本発明の一実施形態の第１スライド状態において緑色ＬＥＤが照射された場合の操作キー部の拡大平面図である。
【図１７】本発明の一実施形態の第２スライド状態（文字入力モード）において青色ＬＥＤが照射された場合の操作キー部の拡大平面図である。
【図１８】本発明の一実施形態の第２スライド状態（動画再生モード）において再生ボタンが点滅した場合の操作キー部の拡大平面図である。
【図１９】図１に示した一実施形態による携帯電話機の電気的な構成を示すブロック図である。
【図２０】図１に示した一実施形態による携帯電話機のモード切り替え時の制御フローを示した図である。
【発明を実施するための形態】
【００１８】
以下、本発明を具体化した実施形態を図面に基づいて説明する。
【００１９】
まず、図１〜図１９を参照して、本発明の一実施形態による携帯電話機１００の構成について説明する。なお、携帯電話機１００は、本発明の「携帯端末」の一例である。
【００２０】
本発明の一実施形態による携帯電話機１００は、スライド機構を備えた携帯端末装置として構成されている。すなわち、携帯電話機１００は、図１に示すように、平面的に見て横長形状を有する操作部側本体１０と、操作部側本体１０の上面（Ｚ１側の面）側に取り付けられ、操作部側本体１０に対してＸ方向およびＹ方向にスライド移動が可能である表示部側本体３０とを備えている。なお、図１においては、表示部側本体３０が第１スライド移動位置に位置している状態であり、この状態を第１スライド状態とする。また、携帯電話機１００が第１スライド状態である場合には、第１操作キー領域Ａが露出されるように構成されている。
【００２１】
また、図２に示すように、操作部側本体１０には、操作部側筐体１３と、操作回路基板１４と、操作キー部１５と、スイッチ基板１６とが設けられている。操作部側筐体１３は、ダイキャスト成形による金属製（Ｍｇ製またはＡｌ製）の蓋部材１１が、ポリカーボネート（ＰＣ）やＡＢＳ樹脂からなる樹脂製のケーシング部材１２に対してＺ方向に嵌め込まれて形成されている。また、操作回路基板１４は、操作部側筐体１３の内部に収納されるとともに、携帯電話機１００に種々の機能を実現させる役割を有している。また、操作キー部１５は、略Ｌ字状の板状（シート状）に形成されており、蓋部材１１の所定の領域上を覆うように配置されている。
【００２２】
また、図２に示すように、表示部側本体３０には、表示部側筐体３３と、液晶ディスプレイからなる表示画面部３４と、表示部側操作キー部３５と、スイッチ基板３６とが設けられている。なお、表示画面部３４は、本発明の「表示部」の一例である。表示部側筐体３３は、ポリカーボネート（ＰＣ）やＡＢＳ樹脂からなる樹脂製のパネル部３１が、ダイキャスト成形による金属製（Ｍｇ製またはＡｌ製）のケーシング部材３２に対してＺ方向に嵌め込まれて形成されている。また、表示画面部３４は、表示部側筐体３３の内部に収納されるとともに、ＦＰＣ基板（図示せず）を介して操作回路基板１４と接続されるように構成されている。また、スイッチ基板３６はＦＰＣ基板からなり、操作回路基板１４と接続されている。また、図１に示すように、表示部側本体３０をＹ１側にスライド移動させた状態では、ユーザは、表示画面部３４（図２参照）を見ながら操作部側本体１０の上面に露出する第１操作キー領域Ａの操作キー部１５と、表示部側操作キー部３５とを介して携帯電話機１００を操作するように構成されている。
【００２３】
また、携帯電話機１００は、ユーザが表示部側本体３０をスライド移動させずに操作部側本体１０の上に完全に重ねる（図１において表示部側本体３０をＹ２方向にスライドさせて操作部側本体１０に重ねる）ことによって、図３に示すように、携帯電話機１００の平面積を最も小さくした状態で保持可能なように構成されている。なお、図３に示す携帯電話機１００の状態を初期状態とするとともに、表示部側本体３０が操作部側本体１０の上に完全に重ねられた際の位置を初期位置とする。
【００２４】
また、携帯電話機１００は、図３の初期状態からユーザが表示部側本体３０を操作部側本体１０に対してＸ１側にスライド移動させることによって、図４に示すように、表示部側本体３０（表示部側筐体３３）が操作部側本体１０（操作部側筐体１３）に対してスライド移動されて第２スライド移動位置に位置させることが可能なように構成されている。なお、表示部側本体３０が第２スライド移動位置に位置する状態を第２スライド状態とする。また、携帯電話機１００が第２スライド状態である場合には、第２操作キー領域Ｂが露出されるように構成されている。
【００２５】
また、図２に示すように、操作部側本体１０と表示部側本体３０とは、操作部側本体１０と表示部側本体３０との間に配置された板金製（金属製）のスライドプレート５０を介して接続されている。
【００２６】
ここで、スライド機構について説明する。まず、図２に示すように、操作部側本体１０を構成する金属製の蓋部材１１に、一対のガイド部１１ａが一体的に形成されている。この一対のガイド部１１ａは、Ｘ方向に沿って延びるように形成されている。また、一対のガイド部１１ａは、それぞれ、樹脂製のスライド部材５１を保持することが可能であるように構成されている。
【００２７】
また、図２に示すように、表示部側本体３０を構成するケーシング部材３２には、一対のガイド部３２ａが一体的に形成されている。この一対のガイド部３２ａは、Ｙ方向に沿って延びるように形成されている。また、一対のガイド部３２ａは、それぞれ、樹脂製のスライド部材５２を保持することが可能であるように構成されている。
【００２８】
また、図２に示すように、スライドプレート５０は、略矩形状の平坦部５０ａと、平坦部５０ａの縁部に板金の折り曲げ加工などによって一体的に形成されたエッジ部５０ｂおよび５０ｃとが形成されている。また、エッジ部５０ｂは、平坦部５０ａのＹ方向の端部に沿ってＸ方向に延びるように一対設けられるとともに、エッジ部５０ｃは、平坦部５０ａのＸ方向の端部に沿ってＹ方向に延びるように一対設けられている。
【００２９】
したがって、スライドプレート５０は、図５に示すように、ガイド部３２ａに保持されたスライド部材５２に沿ってエッジ部５０ｃが嵌め込まれた状態で、スライド部材５２を介して表示部側本体３０のケーシング部材３２に対してＹ方向にスライド移動されるように構成されている。これにより、表示部側本体３０が図３および図５に示す初期状態からＹ１側にスライド移動されて第１スライド移動位置に位置させることによって、携帯電話機１００は、図１および図６に示す第１スライド状態になるように構成されている。また、表示部側本体３０が図１および図６に示す第１スライド状態からＹ２側にスライド移動されて初期位置に位置させることによって、携帯電話機１００は、図３および図５に示す初期状態になるように構成されている。
【００３０】
また、スライドプレート５０は、図７に示すように、ガイド部１１ａに保持されたスライド部材５１に沿ってエッジ部５０ｂが嵌め込まれた状態で、スライド部材５１を介してＹ方向に対して直交するＸ方向に沿ってスライド移動されるように構成されている。これにより、スライドプレート５０が図７に示す初期状態からＸ１側にスライド移動されて第２スライド移動位置に位置させることによって、図８に示す第２スライド状態になるように構成されている。また、スライドプレート５０が図８に示す第２スライド状態からＸ２側にスライド移動されて初期位置に位置させることによって、図７に示す初期状態になるように構成されている。
【００３１】
また、スライドプレート５０が表示部側本体３０のガイド部３２ａに保持されていることによって、スライドプレート５０のＸ方向のスライド移動に伴って、表示部側本体３０もＸ方向にスライド移動されるように構成されている。これにより、表示部側本体３０が図３に示す初期状態からＸ１側にスライド移動されて第２スライド移動位置に位置させることによって、携帯電話機１００は、図４に示す第２スライド状態になるように構成されている。また、表示部側本体３０が図４に示す第２スライド状態からＸ２側にスライド移動されて初期位置に位置させることによって、携帯電話機１００は、図３に示す初期状態になるように構成されている。
【００３２】
上記のように、スライド機構を備えることによって、ユーザが表示部側本体３０を操作部側本体１０に対してＸ方向またはＸ方向に対して直交するＹ方向にスライドさせた状態で携帯電話機１００を使用することが可能とされている。すなわち、図３に示す初期状態からユーザが表示部側本体３０をＹ１側にスライド移動させた場合、図１に示すように、第１スライド状態において、操作キー部１５のうちの操作部側本体１０の上面（Ｚ１側の面）に露出する第１操作キー領域Ａに対応する後述する複数の操作キー４０を使用して携帯電話機１００を操作することが可能であるように構成されている。また、図３に示す初期状態からユーザが表示部側本体３０をＸ１方向にスライド移動させた場合、図４に示すように、第２スライド状態において、操作キー部１５のうちの操作部側本体１０の上面に露出する第２操作キー領域Ｂに対応する複数の操作キー４０を使用して携帯電話機１００を操作することが可能であるように構成されている。
【００３３】
また、図２および図５に示すように、スライドプレート５０の平坦部５０ａのＸ２側で、かつ、Ｙ２側には、上方（Ｚ１側）に向かって突出する突起部５０ｄが形成されている。また、ケーシング部材３２の下面側（Ｚ２側）には、突起部５０ｄに対応するように、突起部５０ｄとの接触を機械的に検出するメカニカルセンサからなる第１位置検出センサ２０（破線で示す）が配置されている。この第１位置検出センサ２０の突出片２０ａは、図９に示すように、表示部側本体３０が第１スライド移動位置に位置する際に、突起部５０ｄと接触して上方（Ｚ１側）に押し上げられるように構成されている。これにより、表示部側本体３０が、第１スライド移動位置に位置することが第１位置検出センサ２０によって検出されるように構成されている。
【００３４】
また、図２および図７に示すように、スライドプレート５０の平坦部５０ａのＸ２側で、かつ、Ｙ１側には、下方（Ｚ２側）に向かって突出する突起部５０ｅ（破線で示す）が形成されている。また、蓋部材１１には、突起部５０ｅに対応するように、突起部５０ｅとの接触を機械的に検出するメカニカルセンサからなる第２位置検出センサ２１が配置されている。この第２位置検出センサ２１の突出片２１ａは、図１０に示すように、スライドプレート５０が第２スライド移動位置に位置する際に、突起部５０ｅと接触して下方（Ｚ２側）に押し下げられるように構成されている。これにより、スライドプレート５０および表示部側本体３０が、第２スライド移動位置に位置することが第２位置検出センサ２１によって検出されるように構成されている。
【００３５】
また、図１１に示すように、操作部側本体１０の操作キー部１５は、部分的に重複した第１操作キー領域Ａおよび第２操作キー領域Ｂを含むＬ字形状を有する。ここで、本実施形態では、操作キー部１５は、シート基材１５ａ、拡散層１５ｂ、蛍光層１５ｃ、緑色反射シート１５ｄ、青色反射シート１５ｅおよび赤色反射シート１５ｆを含んでいる。なお、緑色反射シート１５ｄ、青色反射シート１５ｅおよび赤色反射シート１５ｆは、それぞれ、本発明の「選択透過層」の一例である。
【００３６】
シート基材１５ａは、操作キー部１５の表面（操作面）側に配置された樹脂材料からなるシートである。シート基材１５ａには、複数の凸形状の操作キー４０が固定的に形成されている。具体的には、シート基材１５ａの操作キー４０に対応する部分は凸部として形成されるとともに、シート基材１５ａの操作キー４０以外の部分は凹部４１として形成されている。操作キー部１５は、各操作キー４０および凹部４１に、それぞれの操作キー４０に割り当てられた数字、文字または記号を表示可能なように構成されている。凸形状の複数の操作キー４０と、各操作キー４０間の凹部４１とは、シート基材１５ａに一体的に形成されている。
【００３７】
また、本実施形態では、拡散層１５ｂは、後述する緑色ＬＥＤ１５２ａ、青色ＬＥＤ１５２ｂおよび赤色ＬＥＤ１５２ｃの消灯時に、外光を拡散層１５ｂの表面で拡散させることにより反射表示を行うための表示パターンＰ１を有している。なお、表示パターンＰ１は、本発明の「第３表示パターン」の一例である。拡散層１５ｂには、第１操作キー領域Ａに含まれる１６個の矩形状の操作キー４０に対応する位置に、「ａ」〜「ｐ」までの文字からなる複数の開口部Ｐ１ａの表示パターンＰ１が個別に形成されている。これにより、拡散層１５ｂの表面に外光が照射された際には、拡散層１５ｂの表面で外光が反射されるので、拡散層１５ｂの表面が白く見える。一方、拡散層１５ｂの開口部Ｐ１ａが形成された部分は、外光が照射された際に、拡散層１５ｂの開口部Ｐ１ａの部分では外光が反射せずに、黒く表示される。これにより、図１２に示すような、表示パターンＰ１の反射型の白黒表示を行うことが可能である。
【００３８】
また、本実施形態では、図１１に示すように、蛍光層１５ｃは、基材層１１５ｃと、蛍光材料層２１５ｃとを含んでいる。基材層１１５ｃの表面には、蛍光材料からなる蛍光材料層２１５ｃにより表示パターンＰ２が形成（塗布）されている。なお、表示パターンＰ２は、本発明の「第２表示パターン」の一例である。この蛍光材料層２１５ｃは、後述する可視光以外の波長の光である紫外線（紫外光）によって励起されて、発光するように構成されている。また、蛍光材料層２１５ｃは、金属酸化物のような無機材料または有機材料からなる。また、蛍光材料層２１５ｃの材質によって、紫外線によって励起された際の発光色が異なる。この発光色は、緑色ＬＥＤ１５２ａ、青色ＬＥＤ１５２ｂおよび赤色ＬＥＤ１５２ｃの光源のうちのいずれか１つと同じ色にしてもよいし、緑色ＬＥＤ１５２ａ、青色ＬＥＤ１５２ｂおよび赤色ＬＥＤ１５２ｃとは異なる、たとえば、ピンク色、水色または薄い黄色などの淡い中間色にしてもよい。なお、本実施形態では、蛍光材料層２１５ｃは、紫外線によって励起されることによりピンク色に発光する例について説明する。
【００３９】
また、蛍光層１５ｃには、第１操作キー領域Ａに含まれる１６個の矩形状の操作キー４０に対応する位置に、１〜１６までの数字からなる表示パターンＰ２（図１参照）を表示するための蛍光部Ｐ２ａが個別に基材層１１５ｃの表面上に形成（塗布）されている。また、蛍光層１５ｃの後述する再生ボタン４２ｄ（図１３および図１４参照）に対応する部分には、蛍光部Ｐ２ｂが形成（塗布）されている。また、蛍光層１５ｃには、第１操作キー領域Ａに含まれる円形状の操作キー４０に対応する位置に、４方向（Ｘ１、Ｘ２、Ｙ１およびＹ２方向）の矢印の表示パターンＰ２（図１参照）を表示するための複数の蛍光部Ｐ２ｃが個別に形成（塗布）されている。これにより、操作キー部１５の各操作キー４０（シート基材１５ａ）には、紫外線により、各表示パターンＰ２（「１」〜「１６」の形状）（図１５参照）がピンク色に光りながら表示されるように構成されている。
【００４０】
緑色反射シート１５ｄは、緑色光のみを選択的に反射し、緑色光以外の光を透過する機能を有する。この緑色反射シート１５ｄには、第１操作キー領域Ａに含まれる１６個の矩形状の操作キー４０に対応する位置に、「あ」〜「／」までの文字および記号からなる表示パターンＰ３（図１６参照）を表示するための複数の開口部Ｐ３ａが個別に形成されている。なお、表示パターンＰ３は、本発明の「第１表示パターン」の一例である。このため、操作キー部１５の下方から照射された緑色光が表示パターンＰ３の形状を有する開口部Ｐ３ａを通過するとともに、緑色反射シート１５ｄの開口部Ｐ３ａ以外の部分では緑色光が反射されるように構成されている。これにより、操作キー部１５の各操作キー４０（シート基材１５ａ）には、緑色反射シート１５ｄの開口部Ｐ３ａを通過した緑色光により、各表示パターンＰ３（「あ」〜「／」の形状）（図１６参照）が緑色に光りながら表示されるように構成されている。
【００４１】
青色反射シート１５ｅは、青色光のみを選択的に反射し、青色光以外の光を透過する機能を有する。この青色反射シート１５ｅには、第２操作キー領域Ｂに含まれる３９個の矩形状の操作キー４０に対応する位置に、アルファベットの文字（Ａ〜ＺおよびＡ´〜Ｍ´）の表示パターンＰ４（図４および図１７参照）を表示するための複数の開口部Ｐ４ａが個別に形成されている。なお、表示パターンＰ４は、本発明の「第１表示パターン」の一例である。このため、操作キー部１５の下方から照射された青色光が表示パターンＰ４の形状を有する開口部Ｐ４ａを通過するとともに、青色反射シート１５ｅの開口部Ｐ４ａ以外の部分では青色光が反射されるように構成されている。これにより、文字入力モードにおいて操作キー部１５の各操作キー４０（シート基材１５ａ）には、青色反射シート１５ｅの開口部Ｐ４ａを通過した青色光により、各表示パターンＰ４（アルファベット（Ａ〜ＺおよびＡ´〜Ｍ´））（図４参照）が青色に光りながら表示されるように構成されている。
【００４２】
赤色反射シート１５ｆは、赤色光のみを選択的に反射し、赤色光以外の光を透過する機能を有する。この赤色反射シート１５ｆには、複数の操作キー４０および凹部４１を用いる操作ボタン４２（４２ａ〜４２ｅ）（図１３参照）を表示するための複数の開口部Ｐ５ａを含む表示パターンＰ５が、第２操作キー領域Ｂの各操作ボタン４２に対応する位置にそれぞれ形成されている。なお、表示パターンＰ５は、本発明の「第１表示パターン」の一例である。このため、操作キー部１５の下方から照射された赤色光が操作ボタン４２の形状を有する開口部Ｐ５ａを通過するとともに、赤色反射シート１５ｆの開口部Ｐ５ａ以外の部分では赤色光が反射されるように構成されている。これにより、動画再生モードにおいて操作キー部１５の各操作キー４０（シート基材１５ａ）には、赤色反射シート１５ｆの開口部Ｐ５ａを通過した赤色光により、操作ボタン４２（４２ａ〜４２ｅ）（図１３参照）が赤色に光りながら表示されるように構成されている。
【００４３】
また、操作キー部１５の下方には、導光板１５１が配置されるとともに、緑色、青色、赤色および紫外光（紫外線）を照射する４個の発光部１５２が導光板１５１の側端面１５１ａに設けられている。
【００４４】
導光板１５１は、側端面１５１ａから入射された照明光を表面全体に均一に発光させる機能を有する。これにより、４個の発光部１５２からの照明光によって緑色、青色、赤色および紫外光のそれぞれの光を操作キー部１５の全体に下方から照射するように構成されている。
【００４５】
発光部１５２は、緑色ＬＥＤ（Ｌｉｇｈｔ  Ｅｍｉｔｔｉｎｇ  Ｄｉｏｄｅ）１５２ａ、青色ＬＥＤ１５２ｂ、赤色ＬＥＤ１５２ｃおよび紫外線ＬＥＤ１５２ｄの４つのＬＥＤを含んでいる。なお、緑色ＬＥＤ１５２ａ、青色ＬＥＤ１５２ｂ、赤色ＬＥＤ１５２ｃは、それぞれ、本発明の「第１光源」の一例であり、紫外線ＬＥＤ１５２ｄは、本発明の「第２光源」の一例である。この発光部１５２が緑色ＬＥＤ１５２ａ、青色ＬＥＤ１５２ｂ、赤色ＬＥＤ１５２ｃおよび紫外線ＬＥＤ１５２ｄのそれぞれを用いて緑色光、青色光、赤色光および紫外光を導光板１５１に個別に照射するように構成されている。
【００４６】
また、これらの各操作キー４０の表示は、３つの表示モード（通話モード、文字入力モードおよび動画再生モード）に切り替え可能に構成されている。すなわち、操作キー部１５は、紫外線（または緑色）、青色および赤色のうちいずれか１色の光を下方から操作キー部１５に対して照射することによって、表示パターンＰ３を表示する通話モード（図１参照）、表示パターンＰ２を表示する文字入力モード（図４参照）および操作ボタン４２を表示する動画再生モード（図４参照）のいずれか１つを選択して、切り替え可能に表示するように構成されている。そして、各操作キー４０は、それぞれの表示モードにおいて各操作キー４０に表示される数字、文字または記号に対応する操作入力を受け付けるように構成されている。また、通話モードにおいては、紫外線ＬＥＤ１５２ｄの紫外光を下方から操作キー部１５に対して照射することによって、図１５に示すような蛍光層１５ｃの表示パターンＰ２を表示することが可能である。また、紫外線ＬＥＤ１５２ｄの紫外光を消灯して、緑色の照明光を下方から操作キー部１５に対して照射することによって、図１６に示すような緑色の表示パターンＰ３を表示することが可能である。このように、本実施形態では、緑色ＬＥＤ１５２ａを点灯させて表示パターンＰ３（図１６参照）を表示する第１の表示と、紫外線ＬＥＤ１５２ｄを点灯させて表示パターンＰ２を表示する第２の表示（図１５参照）とを切り替え可能に構成されている。
【００４７】
具体的には、通話モードでは、図１に示すように、操作キー４０を用いて単一の意味（１〜１６までの数字および４方向の矢印の各々）を有する表示パターンＰ２が、それぞれの操作キー４０に表示されるように構成されている。この通話モードでは、携帯電話機１００を縦方向（Ｙ１方向）にスライドさせた場合に表示パターンＰ２が表示されるように構成されている。なお、通常の通話モードでは、紫外線ＬＥＤ１５２ｄの紫外光が照射されることにより、図１に示すような数字キーおよび４方向の矢印を含む表示パターンＰ２が表示されている。
【００４８】
文字入力モードでは、図４に示すように、単一の操作キー４０を用いて単一の意味（アルファベットの文字（Ａ〜ＺおよびＡ´〜Ｍ´）の各々）を有する表示パターンＰ４が、それぞれの操作キー４０に表示されるように構成されている。この文字入力モードでは、携帯電話機１００を横方向（Ｘ１方向）にスライドさせた場合に表示パターンＰ４が表示されるように構成されている。また、本実施形態では、通話モードから文字入力モード（または動画再生モード）にスライドさせた際に、紫外線ＬＥＤ１５２ｄを消灯して、青色ＬＥＤ１５２ｂまたは赤色ＬＥＤ１５２ｃを点灯させるように構成されている。このように、本実施形態では、携帯電話機１００をスライドさせることによって、青色ＬＥＤ１５２ｂまたは赤色ＬＥＤ１５２ｃを点灯させて表示パターンＰ４またはＰ５を表示する第１の表示と、紫外線ＬＥＤ１５２ｄを点灯させて表示パターンＰ２を表示する第２の表示とを切り替え可能に構成されている。
【００４９】
また、動画再生モードは、携帯電話機１００を用いて動画再生機能を実行する場合（表示部３４に動画が表示されている場合）に複数の操作キー４０を用いて動画再生機能に使用する操作ボタン４２を大きく表示することによって、動画再生のための操作に対応させた表示モードである。この動画再生モードでは、複数の操作キー４０を用いて単一の意味を有する操作ボタン４２を大きく表示するように構成されている。具体的には、図１３に示すように、それぞれ６つの操作キー４０を用いて巻き戻しボタン４２ａ、停止ボタン４２ｂ、一時停止ボタン４２ｃおよび早送りボタン４２ｅの表示パターンが大きく表示されるとともに、４つの操作キーを用いて再生ボタン４２ｄの表示パターンが大きく表示されている。なお、これらの５つの操作ボタン４２のＹ１方向側の操作キー４０には、個別に「次チャプター」や、「前チャプター」などの操作ボタンが表示されている。
【００５０】
また、上述の動画再生モードでは、複数の操作キー４０に加えて複数の操作キー４０の間の凹部４１も用いて操作ボタン４２の表示を行うように構成されている。このため、各操作ボタン４２には、複数の操作キー４０と各操作キー４０間の凹部４１とを用いてそれぞれ単一の意味を示す図柄（「停止」を意味する矩形状の図柄や、「再生」を意味する三角形状の図柄など）の表示パターンが連続的に表示されている。また、各操作ボタン４２は、単一の意味を有する複数の操作キー４０（操作ボタン４２に含まれる操作キー４０）のうち、少なくとも１つの操作キー４０が押し下げられた場合に操作指示が有効になるように構成されている。たとえば、動作再生中に停止ボタン４２ｂの表示領域に含まれる６つの操作キー４０の内のいずれか１つでも押下された場合には、動画再生の停止指示が有効となるように構成されている。
【００５１】
また、本実施形態では、動画再生モードにおいては、赤色の照明光を下方から操作キー部１５に対して照射することによって、赤色の表示パターンＰ５を表示することが可能である。そして、赤色の照明光を点灯した状態で、ユーザにより、再生ボタン４２ｄが押された際に、紫外線ＬＥＤ１５２ｄの紫外光を下方から操作キー部１５に対して照射することによって、蛍光層１５ｃの蛍光部Ｐ２ｂを操作キー部１５の各操作キー４０に表示することが可能である。そして、紫外線ＬＥＤ１５２ｄを点滅させることによって、図１８に示すように、再生ボタン４２ｄ全体が点滅表示されるので、現在再生中であることがユーザに通知されるように構成されている。このように、本実施形態では、赤色ＬＥＤ１５２ｃを点灯させて表示パターンＰ５を表示する第１の表示と、紫外線ＬＥＤ１５２ｄを点滅（点灯）させて表示パターンＰ２を表示する第２の表示とを同時に表示可能に構成されている。
【００５２】
また、図２に示すように、これらの操作キー部１５および導光板１５１の下面側に、スイッチ基板１６が配置されている。スイッチ基板１６は、メンブレン方式を用いたキー入力回路が形成されたＦＰＣ基板からなる。スイッチ基板１６には、操作キー部１５の各操作キー４０に対応する位置にスイッチ部１６ａがそれぞれ配置されている。このスイッチ基板１６のスイッチ部１６ａにより、ユーザによる操作キー４０の押下入力を検出するように構成されている。このスイッチ基板１６は、蓋部材１１の上面に固定的に取り付けられるとともに、図示しないリード部が蓋部材１１に設けられた穴部１１ｂを介して操作回路基板１４に接続されている。
【００５３】
また、図２に示すように、表示部側操作キー部３５は、図１１に示す操作キー部１５と同様に、シート基材１５ａ、拡散層１５ｂ、蛍光層１５ｃ、緑色反射シート１５ｄ、青色反射シート１５ｅおよび赤色反射シート１５ｆを含んでいる。また、表示部側操作キー部３５の下側には、導光板１５１と、図１９に示す緑色ＬＥＤ１３５ａ、青色ＬＥＤ１３５ｂ、赤色ＬＥＤ１３５ｃおよび紫外線ＬＥＤ１３５ｄを有する発光部１３５とが配置されている。また、表示部側操作キー部３５には、複数の凸形状の操作キー４３とユーザによる上下左右の操作に反応する球形操作部４４とが固定的に形成されている。
【００５４】
また、表示部側操作キー部３５は、各操作キー４３に、それぞれの操作キー４３に割り当てられたパターンを表示可能なように構成されている。具体的には、緑色反射シートには、操作キー４３に対応する位置に、表示パターンＰ１１（通話を示すパターン、終話を示すパターン、メニューを開くためのパターン、基本表示に戻すためのパターン、電話番号の検索をするためのパターン、および、前に開いた画面に戻るためのパターン）（図１参照）を表示するための複数の開口部（図示せず）が個別に形成されている。これらの表示パターンＰ１１は、通話モードにおいて操作キー部１５に表示される１〜１６までの数字からなる表示パターンＰ２および４方向（Ｘ１、Ｘ２、Ｙ１およびＹ２方向）の矢印の表示パターンＰ２（図１および図３参照）と対応するように、表示部側操作キー部３５に表示されるように構成されている。
【００５５】
また、青色反射シートおよび赤色反射シートには、操作キー４３に対応する位置に、表示パターンＰ１２（通話を示すパターン、終話を示すパターン、メニューを開くためのパターン、基本表示に戻すためのパターン、メールに関するメニューを開くためのパターン、および文字入力カーソル（図示せず）を移動させるためのパターン）（図４および図１３参照）を表示するための複数の開口部（図示せず）が個別に形成されている。これらのパターンＰ１２は、文字入力モードおよび動画再生モードにおいて操作キー部１５に表示されるアルファベットの文字（Ａ〜ＺおよびＡ´〜Ｍ´）の表示パターンＰ４（図４参照）および操作ボタン４２（図１３参照）と対応するように構成されている。
【００５６】
これにより、表示部側操作キー部３５の各操作キー４３には、通話モード時に、表示パターンＰ１１（図１参照）がピンク色に光りながら表示されるように構成されている。また、表示部側操作キー部３５の各操作キー４３には、文字入力モード時または動画再生モード時に、表示パターンＰ１２（図４および図１３参照）が青色または赤色に光りながら表示されるように構成されている。
【００５７】
また、スイッチ基板３６は、メンブレン方式を用いたキー入力回路が形成されたＦＰＣ基板からなる。スイッチ基板３６には、表示部側操作キー部３５の各操作キー４３に対応する位置にスイッチ部３６ａがそれぞれ配置されている。このスイッチ基板３６のスイッチ部３６ａにより、ユーザによる操作キー４３の押下入力を検出するように構成されている。
【００５８】
また、図１９に示すように、携帯電話機１００の操作回路基板１４は、ＣＰＵ（Ｃｅｎｔｒａｌ  Ｐｒｏｃｅｓｓｉｎｇ  Ｕｎｉｔ）１４ａと、ＲＡＭ（Ｒａｎｄｏｍ  Ａｃｃｅｓｓ  Ｍｅｍｏｒｙ）１４ｂと、ＲＯＭ（Ｒｅａｄ  Ｏｎｌｙ  Ｍｅｍｏｒｙ）１４ｃと、不揮発性メモリとしてのフラッシュメモリ１４ｄと、音声処理回路１４ｅと、通信回路１４ｆと、Ｉ／Ｆ（Ｉｎｔｅｒｆａｃｅ）部１４ｇとを備えている。
【００５９】
また、ＣＰＵ１４ａは、ＲＯＭ１４ｃに記憶されたプログラムに基づき、ＲＡＭ１４ｂを作業領域として用いて各種演算処理を行うことにより、携帯電話機１００全体の制御を行うように構成されている。また、ＣＰＵ１４ａは、操作キー部１５の発光部１５２の緑色ＬＥＤ１５２ａ、青色ＬＥＤ１５２ｂ、赤色ＬＥＤ１５２ｃおよび紫外線ＬＥＤ１５２ｄのうちの発光させるＬＥＤの切り替えを制御するように構成されている。また、ＣＰＵ１４ａは、表示部側操作キー部３５の発光部１３５の緑色ＬＥＤ１３５ａ、青色ＬＥＤ１３５ｂ、赤色ＬＥＤ１３５ｃおよび紫外線ＬＥＤ１３５ｄのうち、発光させるＬＥＤを切り替えるように制御するように構成されている。
【００６０】
また、ＣＰＵ１４ａは、Ｉ／Ｆ部１４ｇを介して第１位置検出センサ２０と接続されており、第１位置検出センサ２０からの信号を検出することによって、表示部側本体３０が第１スライド移動位置に位置することを認識するように構成されている。また、ＣＰＵ１４ａは、Ｉ／Ｆ部１４ｇを介して第２位置検出センサ２１と接続されており、第２位置検出センサ２１からの信号を検出することによって、スライドプレート５０および表示部側本体３０が第２スライド移動位置に位置することを認識するように構成されている。また、ＣＰＵ１４ａは、スイッチ基板１６および３６と、それぞれＩ／Ｆ部１４ｇを介して接続されている。
【００６１】
また、ＲＡＭ１４ｂは、ＣＰＵ１４ａによる制御に伴い生成される一時データなどを書き換え可能に記憶する機能を有する。また、ＲＯＭ１４ｃには、動画再生用ソフトウェアを含むＣＰＵ１４ａによる各種の機能を実現させるためのプログラムと、携帯電話機１００の通話モード、文字入力モードおよび動画再生モードに関するそれぞれの制御プログラムとが記憶されている。また、ＣＰＵ１４ａは、通話モード、文字入力モードまたは動画再生モードのうちいずれか１つを選択することによって、モードを切り替えることが可能なように構成されている。それに伴い、操作キー部１５の操作キー４０に表示される表示パターンＰ２〜Ｐ５、または、操作ボタン４２と、表示部側操作キー部３５の操作キー４３に表示される表示パターンＰ１１またはＰ１２とが切り替えられるように構成されている。また、フラッシュメモリ１４ｄには、動画データが記憶されている。
【００６２】
また、通話モードは、携帯電話機１００を用いて、ユーザが他者の携帯電話機（図示せず）などと通話を行うモードである。携帯電話機１００では、表示部側本体３０が第１位置検出センサ２０によって第１スライド移動位置に位置することが検出された際に、ＣＰＵ１４ａによって、図１に示す第１スライド状態における通話モードに切り替えられるように構成されている。また、通話モードに切り替えられることに伴い、操作キー部１５の操作キー４０に表示パターンＰ２がピンク色で表示されるとともに、表示部側操作キー部３５の操作キー４３に表示パターンＰ１１がピンク色で表示されるように切り替えられるように構成されている。
【００６３】
また、通話モードでは、図１９に示すように、ＣＰＵ１４ａは、音声を出力するスピーカ６０と、ユーザからの音声入力を受け付けるマイク６１とを音声処理回路１４ｅを用いて制御する。また、ＣＰＵ１４ａは、アンテナ６２を介して、基地局（図示せず）と通信を行うための信号を通信回路１４ｆを用いて制御するように構成されている。また、本実施形態では、ＣＰＵ１４ａは、ユーザにより、通話モードにおいて、メニュー画面などから操作キー部１５の操作キー４０に表示される表示パターンの切り替えの選択を受け付けた場合には、数字を含む表示パターンＰ２がピンク色で表示されていた操作キー部１５の操作キー４０をひらがなを含む表示パターンＰ３が緑色で表示するように切り替えるように制御する。つまり、ＣＰＵ１４ａは、紫外線ＬＥＤ１５２ｄを消灯して、緑色ＬＥＤ１５２ａを点灯させて表示させるように制御するように構成されている。
【００６４】
また、文字入力モードは、携帯電話機１００を用いて、文字入力を行うモードである。携帯電話機１００では、表示部側本体３０が第２位置検出センサ２１によって第２スライド移動位置に位置することが検出された際に、ＣＰＵ１４ａによって、図４に示す第２スライド状態における文字入力モードに切り替えられるように構成されている。また、文字入力モードに切り替えられることに伴い、操作キー部１５の操作キー４０に表示パターンＰ４が青色で表示されるとともに、表示部側操作キー部３５の操作キー４３に表示パターンＰ１２が青色で表示されるように切り替えられるように構成されている。ここで、文字入力モードに切り替えられた際には、ユーザによって文字を入力する所定のソフトウェア（アプリケーション）の起動の有無に関係なく、自動的に、表示パターンＰ４が対応する操作キー４０の位置で青色で表示されるように構成されている。
【００６５】
また、動画再生モードは、動画再生用ソフトウェアが起動されている状態で、動画再生に関する操作を行うモードである。携帯電話機１００は、図４に示す第２スライド状態において、ユーザが所定のメニュー選択操作を行うことにより動画再生用ソフトウェアが起動された際に、ＣＰＵ１４ａによって、図１３に示す動画再生モードに切り替えられるように構成されている。さらに、携帯電話機１００は、表示部側本体３０が図３に示す初期状態から第２スライド移動位置に所定の時間内で連続的に移動された際に、ＣＰＵ１４ａによって、動画再生用ソフトウェアが起動されるのと同時に図１３に示す動画再生モードに切り替えられるように構成されている。また、動画再生モードに切り替えられることに伴い、操作キー部１５の操作キー４０に操作ボタン４２が赤色で表示されるとともに、表示部側操作キー部３５の操作キー４３に表示パターンＰ１２が赤色で表示されるように切り替えられるように構成されている。
【００６６】
また、図１９に示すように、ＣＰＵ１４ａは、動画再生モードが選択されると、ＲＯＭ１４ｃから動画再生用ソフトウェアを読み込むとともに、フラッシュメモリ１４ｄに格納された動画データを読み出して表示画面部３４および音声処理回路１４ｅを制御することにより、動画再生を行うことが可能なように構成されている。
【００６７】
次に、図１、図３、図４、図１３〜図１６、図１８および図２０を参照して、本発明の一実施形態による携帯電話機１００のモード切り替え時の制御フローについて説明する。
【００６８】
まず、図２０に示すように、ステップＳ１において、ＣＰＵ１４ａ（図１９参照）によって、表示部側本体３０（図１参照）が第１スライド移動位置（図１参照）に移動されたことを示す第１位置検出センサ２０（図１９参照）からの信号を検出したか否かが判断される。そして、ステップＳ１において、ＣＰＵ１４ａによって、第１位置検出センサ２０からの信号を検出したと判断された場合には、ステップＳ２に進み、通話モードに切り替えられる。そして、操作キー部１５（図１参照）の紫外線ＬＥＤ１５２ｄ（図１９参照）および表示部側操作キー部３５（図１参照）の紫外線ＬＥＤ１３５ｄ（図１９参照）を点灯させる。これにより、図１５に示すように、操作キー部１５における第１操作キー領域Ａには、蛍光材料層２１５ｃの蛍光部Ｐ２ａおよびＰ２ｃからなる各表示パターンＰ２（１〜１６の数字および４方向の矢印の形状）がピンク色に光りながら表示されるとともに、表示部側操作キー部３５の各操作キー４３には、表示パターンＰ１１がピンク色に光りながら表示される。そして、ステップＳ３に進む。
【００６９】
次に、ステップＳ３において、ユーザからのメニュー画面などから通話モードの操作キー部１５の操作キー４０に表示される表示パターンの切り替えの選択を受け付けたか否かが判断される。そして、ステップＳ３において、ユーザからの通話モードの操作キー部１５の操作キー４０に表示される表示パターンの切り替えの選択を受け付けたと判断された場合には、ステップＳ４に進む。そして、ステップＳ４において、操作キー部１５（図１参照）の紫外線ＬＥＤ１５２ｄ（図１９参照）および表示部側操作キー部３５（図１参照）の紫外線ＬＥＤ１３５ｄ（図１９参照）を消灯させる。そして、操作キー部１５（図１参照）の緑色ＬＥＤ１５２ａ（図１９参照）および表示部側操作キー部３５（図１参照）の緑色ＬＥＤ１３５ａ（図１９参照）を点灯させる。これにより、図１６に示すように、蛍光層１５ｃの操作キー部１５における第１操作キー領域Ａには、各表示パターンＰ３（「あ」〜「／」の文字および記号の形状）が緑色に光りながら表示されるとともに、表示部側操作キー部３５の各操作キー４３には、表示パターンＰ１１が緑色に光りながら表示される。つまり、紫外線ＬＥＤ１５２ｄを使用した第１の表示から緑色ＬＥＤ１５２ａを使用した第２の表示への切り替えが行われる。また、ステップＳ３において、ユーザにより、通話モードのキー表示の切り替えの選択が行われていないと判断された場合には、携帯電話機１００のモード切り替え時の制御が終了される。
【００７０】
また、ステップＳ１において、ＣＰＵ１４ａによって、第１位置検出センサ２０からの信号を検出していないと判断された場合には、ステップＳ５に進む。
【００７１】
そして、ステップＳ５において、ＣＰＵ１４ａによって、表示部側本体３０が第２スライド移動位置（図４参照）に移動されたことを示す第２位置検出センサ２１（図１９参照）からの信号を検出したか否かが判断される。そして、ステップＳ５において、ＣＰＵ１４ａによって、第２位置検出センサ２１からの信号を検出していないと判断された場合には、ステップＳ１に戻る。また、ステップＳ５において、ＣＰＵ１４ａによって、第２位置検出センサ２１からの信号を検出したと判断された場合には、ステップＳ６に進む。
【００７２】
次に、ステップＳ６において、ＣＰＵ１４ａによって、ユーザが所定のメニュー選択操作を行うことにより動画再生用ソフトウェア（図１９参照）が起動されたか否かが判断される。そして、ステップＳ６において、ＣＰＵ１４ａによって、動画再生用ソフトウェアが起動されたと判断された場合には、ステップＳ７に進み、動画再生モードに切り替えられる。そして、操作キー部１５の赤色ＬＥＤ１５２ｃ（図１９参照）および表示部側操作キー部３５の赤色ＬＥＤ１３５ｃ（図１９参照）を点灯させる。これにより、図１４に示すように、操作キー部１５における第２操作キー領域Ｂには、操作ボタン４２が赤色に光りながら表示されるとともに、表示部側操作キー部３５の各操作キー４３には、表示パターンＰ１２が赤色に光りながら表示される。
【００７３】
そして、ステップＳ８において、ユーザにより、再生ボタン４２ｄが押下されるまでこの判断が繰り返される。そして、ステップＳ８において、ユーザにより、再生ボタン４２ｄが押下されたと判断された場合には、ステップＳ９に進む。そして、ステップＳ９において、図１８に示すように、操作キー部１５の赤色ＬＥＤ１５２ｃを点灯させた状態で、蛍光材料層２１５ｃの蛍光部Ｐ２ｂに対応する紫外線ＬＥＤ１５２ｄを点滅させる。これにより、操作キー部１５の再生ボタン４２ｄが赤色に表示されるとともに、蛍光部Ｐ２ｂが点滅表示されるので、現在再生中（再生ボタン４２ｄを使用中）であることをユーザに通知することが可能である。そして、携帯電話機１００のモード切り替え時の制御が終了される。
【００７４】
また、ステップＳ６において、ＣＰＵ１４ａによって、動画再生用ソフトウェアが起動されていないと判断された場合には、ステップＳ１０に進む。また、ステップＳ１０において、ＣＰＵ１４ａによって、表示部側本体３０が初期状態（図３参照）から第２スライド移動位置（図４参照）に所定の時間内で連続的に移動されることによって、第２位置検出センサ２１から連続的に信号が発せられたか否かが判断される。そして、ステップＳ１０において、ＣＰＵ１４ａによって、第２位置検出センサ２１からの連続的な信号を検出したと判断された場合には、ステップＳ７に進み、操作キー部１５および表示部側操作キー部３５において、上記した動画再生モードにおける表示が行われる。そして、携帯電話機１００のモード切り替え時の制御が終了される。
【００７５】
また、ステップＳ１０において、ＣＰＵ１４ａによって、第２位置検出センサ２１からの連続的な信号を検出していないと判断された場合には、ステップＳ１１に進み、文字入力モードに切り替えられる。そして、操作キー部１５の青色ＬＥＤ１５２ｂ（図１９参照）および表示部側操作キー部３５の青色ＬＥＤ１３５ｂ（図１９参照）を点灯させる。これにより、図４に示すように、操作キー部１５における第２操作キー領域Ｂには、各表示パターンＰ４（アルファベット（Ａ〜ＺおよびＡ´〜Ｍ´））が青色に光りながら表示されるとともに、表示部側操作キー部３５の各操作キー４３には、表示パターンＰ１２が青色に光りながら表示される。そして、携帯電話機１００のモード切り替え時の制御が終了される。
【００７６】
本実施形態では、上記のように、表示画面部３４が、各々が表示パターンＰ３、Ｐ４およびＰ５を有するとともに、赤色、緑色および青色の光をそれぞれ選択的に透過可能な複数の緑色反射シート１５ｄ、青色反射シート１５ｅおよび赤色反射シート１５ｆと、緑色反射シート１５ｄ、青色反射シート１５ｅおよび赤色反射シート１５ｆに対して積層するように配置され、表示パターンＰ２を有するとともに紫外線により励起されて光を発する蛍光層１５ｃと、緑色反射シート１５ｄ、青色反射シート１５ｅおよび赤色反射シート１５ｆに対して赤色、緑色および青色の光を照射可能な緑色ＬＥＤ１５２ａ、青色ＬＥＤ１５２ｂおよび赤色ＬＥＤ１５２ｃと、緑色反射シート１５ｄ、青色反射シート１５ｅおよび赤色反射シート１５ｆを透過するとともに蛍光層１５ｃに到達する紫外線を照射する紫外線ＬＥＤ１５２ｄとを含む。これにより、赤色、緑色および青色の光をそれぞれの緑色反射シート１５ｄ、青色反射シート１５ｅおよび赤色反射シート１５ｆの表示パターンＰ３〜Ｐ５を通過させることができるので、緑色反射シート１５ｄ、青色反射シート１５ｅおよび赤色反射シート１５ｆを通過した赤色、緑色および青色の光を単色表示または混色表示させることができる。これにより、緑色ＬＥＤ１５２ａ、青色ＬＥＤ１５２ｂおよび赤色ＬＥＤ１５２ｃの３色の光を用いることによって、発色させる色の数を増やすことができる。これに加えて、紫外線ＬＥＤ１５２ｄから紫外線を蛍光層１５ｃに照射することにより、蛍光層１５ｃを発光させる。その結果、蛍光層１５ｃの数が増えるのを抑制しながら、発光（表示）可能な色の数（種類）を増やすことができる。
【００７７】
また、本実施形態では、上記のように、蛍光層１５ｃに紫外線を照射可能に構成することによって、紫外線ＬＥＤ１５２ｄから蛍光層１５ｃに紫外線を照射することにより、容易に、蛍光材料の材質に応じた色で蛍光層１５ｃを発光させることができる。
【００７８】
また、本実施形態では、上記のように、蛍光材料により表示パターンＰ２が構成された蛍光材料層２１５ｃを含むことによって、紫外線ＬＥＤ１５２ｄから蛍光材料層２１５ｃに光を照射した際に、蛍光材料層２１５ｃの表示パターンＰ２に対応する部分を発光させることができる。
【００７９】
また、本実施形態では、上記のように、緑色ＬＥＤ１５２ａにより緑色の表示を行う第１の表示と、紫外線光源１５２ｄを点灯させることによりピンク色の表示を行う第２の表示とを切替可能に構成する。これにより、緑色ＬＥＤ１５２ａを点灯させることにより緑色の表示を行う第１の表示と、紫外線ＬＥＤ１５２ｄを点灯させることによりピンク色の表示を行う第２の表示との２種類の表示を行うことができる。
【００８０】
また、本実施形態では、上記のように、赤色ＬＥＤ１５２ｃにより赤色の点灯表示を行う第１の表示と、紫外線ＬＥＤ１５２ｄを点滅させることによりピンク色の点滅表示を行う第２の表示とを同時に表示可能に構成する。これにより、赤色の表示を行う第１の表示と、ピンク色の表示を行う第２の表示とを別個に表示する場合と比べて、同時に発色させる色の数を増加させることができる。これにより、よりカラフルな表示を行うことができる。また、赤色の点灯表示の第１の表示と、ピンク色の点滅表示の第２の表示とを同時に表示させることによって、赤色に点灯表示の第１の表示と、ピンク色に点滅表示の第２の表示との重なる部分の色を混色させることができるので、点滅表示している部分を目立たせることができる。その結果、ユーザに対して注意喚起を行うことができるとともに、視認性を向上させることができる。
【００８１】
また、本実施形態では、上記のように、緑色ＬＥＤ１５２ａ、青色ＬＥＤ１５２ｂ、赤色ＬＥＤ１５２ｃおよび紫外線ＬＥＤ１５２ｄの消灯時に、外光を表面で拡散させることにより反射型の表示を行うための表示パターンＰ１を有する拡散層１５ｂをさらに含む。これにより、拡散層１５ｂの表面に外光が照射され、外光が反射することによって表面が白色に見える拡散層１５ｂを用いた場合には、表示パターンＰ１の開口部Ｐ１ａの部分は外光が反射しないので、黒く表示させることができる。これにより、拡散層１５ｂの表示パターンＰ１の開口部Ｐ１ａの部分と、表示パターンＰ１の開口部Ｐ１ａが設けられていない部分とを組み合わせて反射型の白黒表示を行うことができる。これによっても、色数を増加させることができる。
【００８２】
また、本実施形態では、上記のように、緑色反射シート１５ｄ、青色反射シート１５ｅおよび赤色反射シート１５ｆが、表示パターンＰ３、Ｐ４およびＰ５に対応する部分にそれぞれ開口部を有することによって、緑色ＬＥＤ１５２ａ、青色ＬＥＤ１５２ｂおよび赤色ＬＥＤ１５２ｃから照射された光を緑色反射シート１５ｄ、青色反射シート１５ｅおよび赤色反射シート１５ｆにそれぞれ設けられた開口部から通過させることができるので、緑色反射シート１５ｄ、青色反射シート１５ｅおよび赤色反射シート１５ｆにそれぞれ設けられた開口部の表示パターンＰ３〜Ｐ５に対応する表示を行うことができる。
【００８３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８４】
たとえば、上記実施形態では、携帯端末の一例として、スライド移動可能な携帯電話機１００を示したが、本発明はこれに限られない。たとえば、本発明をＰＤＡや携帯型のゲーム機などの携帯端末にも適用可能である。
【００８５】
また、上記実施形態では、可視光以外の波長の光を照射する第２光源の一例として、紫外線を照射する紫外線ＬＥＤを本発明に適用する例を示したが、本発明はこれに限られない。たとえば、蛍光層に可視光以外の波長の光を照射することにより、蛍光層が発光可能であれば、紫外線ＬＥＤ以外の光源を第２光源に適用してもよい。
【００８６】
また、上記実施形態では、緑色ＬＥＤ、青色ＬＥＤおよび赤色ＬＥＤの３つのＬＥＤの少なくともいずれか１つを点灯させることにより表示を行う第１の表示と、紫外線ＬＥＤを点灯させることにより表示を行う第２の表示とを切り替え可能に構成する例を示したが、本発明はこれに限られない。本発明では、緑色ＬＥＤ、青色ＬＥＤおよび赤色ＬＥＤの３つのＬＥＤを同時に点灯させることにより表示を行う第１の表示と、紫外線ＬＥＤを点灯させることにより表示を行う第２の表示とを切り替え可能に構成してもよい。
【００８７】
また、上記実施形態では、緑色ＬＥＤ、青色ＬＥＤおよび赤色ＬＥＤの３つのＬＥＤの少なくともいずれか１つを点灯させることにより表示を行う第１の表示と、紫外線ＬＥＤを点灯させることにより表示を行う第２の表示とを同時に表示可能に構成する例を示したが、本発明はこれに限られない。本発明では、緑色ＬＥＤ、青色ＬＥＤおよび赤色ＬＥＤの３つのＬＥＤを同時に点灯させることにより表示を行う第１の表示と、紫外線ＬＥＤを点灯させることにより表示を行う第２の表示とを同時に表示可能に構成してもよい。
【００８８】
また、上記実施形態では、緑色ＬＥＤ、青色ＬＥＤおよび赤色ＬＥＤの３つのＬＥＤの少なくともいずれか１つを点灯させることにより表示を行う第１の表示を示したが、本発明はこれに限られない。本発明では、緑色ＬＥＤ、青色ＬＥＤおよび赤色ＬＥＤの３つのＬＥＤのうちの２つを同時に点灯させることにより第１の表示を行ってもよい。
【００８９】
また、上記実施形態では、緑色ＬＥＤ、青色ＬＥＤおよび赤色ＬＥＤの３つのＬＥＤの少なくともいずれか１つを点灯させることにより表示を行う第１の表示を示したが、本発明はこれに限られない。本発明では、緑色ＬＥＤ、青色ＬＥＤおよび赤色ＬＥＤの３つのＬＥＤの少なくともいずれか１つを点滅させることにより第１の表示を行ってもよい。これにより、第１の表示の点滅表示している部分を目立たせることができるので、ユーザに対して注意喚起を行うことができるとともに、視認性を向上させることが可能である。
【００９０】
また、上記実施形態では、蛍光層１５ｃの蛍光部Ｐ２ａがピンク色に発光する例を示したが、本発明はこれに限られない。たとえば、蛍光部Ｐ２ａが緑色に発光する材料を使用すれば、紫外線ＬＥＤ１５２ｄから緑色ＬＥＤ１５２ａに切り替えた際に、緑色を発光させながら異なるキー表示を行うことが可能である。
【００９１】
また、上記実施形態では、選択透過層の一例として、表示パターンＰ３、Ｐ４およびＰ５に対応する部分に開口部を有する光反射層を本発明に適用する例を示したが、本発明はこれに限られない。本発明では、選択透過層として表示パターンＰ３、Ｐ４およびＰ５に対応する部分に開口部を有する光吸収層を適用することによって、上記実施形態と同様の効果を得ることが可能である。
【００９２】
また、上記実施形態では、第１表示パターンの一例として、「あ」〜「／」までの文字および記号からなる表示パターンＰ３、アルファベットの文字（Ａ〜ＺおよびＡ´〜Ｍ´）の表示パターンＰ４、および、操作ボタン４２（４２ａ〜４２ｅ）を表示するための表示パターンＰ５を示したが、本発明はこれに限られない。たとえば、アルファベットの表示パターンを表示パターンＰ３に適用することや、「ひらがな」からなる表示パターンを表示パターンＰ４に適用してもよい。
【００９３】
また、上記実施形態では、第２表示パターンの一例として、１〜１６までの数字からなる表示パターンを表示するための表示パターンＰ２を示したが、本発明はこれに限られない。たとえば、アルファベットの表示パターンを表示パターンＰ２に適用してもよい。
【００９４】
また、上記実施形態では、紫外線ＬＥＤを点滅表示させる例として、動画再生モードの再生ボタンを点滅させる例を示したが、本発明はこれに限られない。たとえば、動画再生モードの停止ボタンが押下された場合には、停止ボタンを点滅表示させてもよい。この場合、蛍光層の停止ボタンに対応する部分に予め蛍光材料を形成しておく必要がある。
【００９５】
また、上記実施形態では、紫外線ＬＥＤを使用した第２の表示から緑色ＬＥＤを使用した第１の表示に切り替える方法の一例として、ユーザによる切替ボタンなどの操作を受け付けた際に、第２の表示と第１の表示とを切り替える方法を示したが、本発明はこれに限られない。たとえば、ユーザによって文字を入力する所定のソフトウェア（アプリケーション）などの起動や操作に連動して、自動的に、第２の表示と第１の表示とが切り替わるように制御させてもよい。
【００９６】
また、上記実施形態では、第２スライド状態において、動画再生用ソフトウェアを起動させた際に、操作キー部１５および表示部側操作キー部３５に表示される表示パターンを切り替えるように構成した例を示したが、本発明はこれに限られない。たとえば、音楽再生用のソフトウェアを起動させた際に、操作キー部および表示部側操作キー部に表示される表示パターンを切り替えるように構成してもよい。
【００９７】
また、上記実施形態では、表示部側本体３０（表示部側筐体３３）を操作部側本体１０（操作部側筐体１３）に対してＸ方向およびＹ方向にスライド移動させることによって、第１スライド移動位置および第２スライド移動位置に位置させることが可能なように構成した例を示したが、本発明はこれに限られない。たとえば、操作部側筐体の操作キー部の一部が常に露出しているように構成されているとともに、表示部側筐体が初期状態からある１方向に移動されてスライド移動位置に位置させるように構成してもよい。これにより、初期状態における操作キー部の表示パターンと、スライド移動位置における操作キー部の表示パターンとを切り替えて表示するように構成することが可能である。
【００９８】
また、上記実施形態では、第１位置検出センサ２０および第２位置検出センサ２１としてそれぞれメカニカルセンサを用いた例を示したが、本発明はこれに限られない。たとえば、突起部の代わりに磁石を配置するとともに、第１位置検出センサおよび第２位置検出センサとして磁石からの磁気を検出する磁気センサを用いてもよい。また、突起部の代わりに反射板を配置するとともに、第１位置検出センサおよび第２位置検出センサとして光を発光して、反射板において反射された反射光を検出する反射型の光センサを用いてもよい。
【００９９】
また、上記実施形態では、表示部側操作キー部３５に表示される緑色に光る表示パターンＰ１１と、青色または赤色に光る表示パターンＰ１２とを切り替えることが可能なように構成した例を示したが、本発明はこれに限られない。本発明では、表示部側操作キー部において表示パターンを切り替えなくてもよい。
【符号の説明】
【０１００】
１５ｂ  拡散層
１５ｃ  蛍光層
１５ｄ  緑色反射シート（選択透過層）
１５ｅ  青色反射シート（選択透過層）
１５ｆ  赤色反射シート（選択透過層）
３４  表示画面部（表示部）
１００  携帯電話機（携帯端末）
１１５ｃ  基材層
１５２ａ  緑色ＬＥＤ（第１光源）
１５２ｂ  青色ＬＥＤ（第１光源）
１５２ｃ  赤色ＬＥＤ（第１光源）
１５２ｄ  紫外線光源（第２光源）
２１５ｃ  蛍光材料層
Ｐ１  表示パターン（第３表示パターン）
Ｐ２  表示パターン（第２表示パターン）
Ｐ３、Ｐ４、Ｐ５  表示パターン（第１表示パターン）
【図１】
2011040872.tif 000003
【図２】
2011040872.tif 000004
【図３】
2011040872.tif 000005
【図４】
2011040872.tif 000006
【図５】
2011040872.tif 000007
【図６】
2011040872.tif 000008
【図７】
2011040872.tif 000009
【図８】
2011040872.tif 000010
【図９】
2011040872.tif 000011
【図１０】
2011040872.tif 000012
【図１１】
2011040872.tif 000013
【図１２】
2011040872.tif 000014
【図１３】
2011040872.tif 000015
【図１４】
2011040872.tif 000016
【図１５】
2011040872.tif 000017
【図１６】
2011040872.tif 000018
【図１７】
2011040872.tif 000019
【図１８】
2011040872.tif 000020
【図１９】
2011040872.tif 000021
【図２０】
2011040872.tif 000022